(57)【要約】      （修正有）【課題】二つのケーブルの収納性向上と収納状態からケーブルを引き出して用いる時のケーブル破損の抑制が可能な電源ケーブル収納機構付のＡＣアダプタを提供する。【解決手段】内部にＡＣ／ＤＣ変換部を有し、ＡＣ／ＤＣ変換部を絶縁保護するモールドケース２よりなる電源供給装置１において、ＡＣケーブル４とＤＣケーブル５が、ケーブル巻きつけ部であるモールドケース２の側周面６の一部と上面の一部を切り欠いた部分、および、前記側周面６の一部と底面の一部を切り欠いた部分から、互いに対向する方向に引き出されるように配置され、二つの引き出し部は、前記モールドケースの略中心部に対して点対象に配置するような構成とした。【選択図】図１
2011199914.tif 000002
【特許請求の範囲】
【請求項１】
交流電源を直流電源に変換するＡＣ／ＤＣ変換部と、ＡＣプラグを有する第１のケーブルと、直流電源を供給するためのＤＣプラグを有する第２のケーブルと、前記ＡＣ／ＤＣ変換部を絶縁保護するモールドケースよりなる電源供給装置において、
前記モールドケースは、前記第１のケーブルと前記第２のケーブルを巻きつけ可能な側周面と前記側周面に直交し互いに対向する第１の面と第２の面を備え、
前記第１のケーブルは前記側周面の一部と前記第１の面の一部を切り欠いた部分から、前記第２のケーブルは前記側周面の一部と前記第２の面の一部を切り欠いた部分から、各々の前記ケーブルが互いに対向する方向に引き出されるように前記ＡＣ／ＤＣ変換部に接続され、
前記切り欠いた部分の各々は、三つの面から構成され、
前記第１のケーブルの引き出し部と前記第２のケーブルの引き出し部は、前記モールドケースの略中心部に対して点対象に配置されていることを特徴とするケーブル収納型電力供給装置。
【請求項２】
前記モールドケースは、さらに、前記第１の面と前記第２の面を延伸するように形成された鍔部を備え、
前記鍔部には、前記第１の面の一部を切り欠いた部分と前記第２の面の一部を切り欠いた部分にそれぞれ対応する部分に切り欠き部が設けられていることを特徴とする請求項１に記載のケーブル収納型電力供給装置。
【請求項３】
前記第１のケーブルの引き出し部と前記第２のケーブルの引き出し部のうち少なくとも一つは、前記ＡＣ／ＤＣ変換部と前記ケーブルとが脱着可能となるコネクタ構造であることを特徴とする請求項１または２に記載のケーブル収納型電力供給装置。
【請求項４】
前記モールドケースは、前記鍔部と略直方体形状の本体からなり、
前記側周面は、前記略直方体形状の本体の最短辺部を有す側面部から構成される外周面であることを特徴とする請求項２または３に記載のケーブル収納型電力供給装置。
【請求項５】
前記鍔部の少なくとも一つは、前記モールドケースの前記側周面を有す本体部と、分離可能な構造であることを特徴とする請求項２乃至４に記載のケーブル収納型電力供給装置。
【発明の詳細な説明】
【技術分野】
【０００１】
本発明は、電源供給装置に関し、特に、装置に電源を供給するための電源ケーブルを電源供給装置自体に巻き取って収納する電源ケーブル収納機構付のＡＣアダプタに関する。
【背景技術】
【０００２】
従来、携帯型コンピュータ装置にはＡＣアダプタが付属し、利用者はＡＣアダプタを装置とともに携帯し、移動先でＡＣアダプタから電源供給を受けて装置を利用することがあった。ＡＣアダプタは、ＡＣプラグ側ケーブルとＤＣプラグ側ケーブルの二種類のケーブルがＡＣアダプタ本体に接続される構造を有している。利用者には、当然ながら、ＡＣアダプタの携帯時の収納性向上やケーブルをきれいに収納整理して携帯したいというニーズがある。
【０００３】
特許文献1には、このニーズに対応した技術が開示されている。特許文献1に記載の技術は、ＡＣアダプタ本体に電源ケーブルの収納スペースを設け、電源ケーブルを収納することができる電源ケーブル収納機能付きＡＣアダプタに関するものである。詳細には、ＡＣアダプタに、二つのケーブルのそれぞれに対応する独立した二つの巻取り機構を設けたことで、巻取り時の二つのケーブルの絡みをなくし、二つのケーブルをそれぞれ自在に巻き取れるようにする技術である。これによって、収納性向上のみならず、ケーブルの長さ調節の簡便性向上や二つのケーブルが絡まることによるケーブルの破損防止という効果を奏功する。
【先行技術文献】
【特許文献】
【０００４】
【特許文献１】特開２０００−１５９４４５号公報
【発明の開示】
【発明が解決しようとする課題】
【０００５】
しかしながら、特許文献1に記載の技術では、巻取り時の二つのケーブルの絡みによることが原因となるケーブル破損を抑制することは可能であるが、ケーブルの巻き取り時や巻き取ったケーブルを引き出す時にケーブルに加わる負荷によるケーブル破損を抑制することはできない。特にケーブルコネクタの根元部分は、巻き取られたケーブルが引き出される時に、引っ張られるように回転負荷が加わりやすく、破損しやすいという問題がある。また、特許文献１に記載の技術では、巻取り機構が複雑になるので、ＡＣアダプタがコスト高になることや、コンパクト化することが難しい等の問題もあった。
【０００６】
本発明は、上記事情に鑑みてなされたものであり、二つのケーブルの収納性向上と収納状態からケーブルを引き出して用いる時のケーブル破損の抑制が可能な電源ケーブル収納機構付のＡＣアダプタの提供を目的とする。
【課題を解決するための手段】
【０００７】
本発明の第１のケーブル収納型電力供給装置は、交流電源を直流電源に変換するＡＣ／ＤＣ変換部と、ＡＣプラグを有する第１のケーブルと、直流電源を供給するためのＤＣプラグを有する第２のケーブルと、前記ＡＣ／ＤＣ変換部を絶縁保護するモールドケースよりなる電源供給装置において、前記モールドケースは、前記第１のケーブルと前記第２のケーブルを巻きつけ可能な側周面と前記側周面に直交し互いに対向する第１の面と第２の面を備え、前記第１のケーブルは前記側周面の一部と前記第１の面の一部を切り欠いた部分から、前記第２のケーブルは前記側周面の一部と前記第２の面の一部を切り欠いた部分から、各々の前記ケーブルが互いに対向する方向に引き出されるように前記ＡＣ／ＤＣ変換部に接続され、前記切り欠いた部分の各々は、三つの面から構成され、前記第１のケーブルの引き出し部と前記第２のケーブルの引き出し部は、前記モールドケースの略中心部に対して点対象に配置されていることを特徴とする。
【０００８】
本発明の第２のケーブル収納型電力供給装置は、第１のケーブル収納型電力供給装置に対して、前記モールドケースは、さらに、前記第１の面と前記第２の面を延伸するように形成された鍔部を備え、前記鍔部には、前記第１の面の一部を切り欠いた部分と前記第２の面の一部を切り欠いた部分にそれぞれ対応する部分に切り欠き部が設けられていることを特徴とする。
【０００９】
本発明の第３のケーブル収納型電力供給装置は、第１または第２のケーブル収納型電力供給装置に対して、前記第１のケーブルの引き出し部と前記第２のケーブルの引き出し部のうち少なくとも一つは、前記ＡＣ／ＤＣ変換部と前記ケーブルとが脱着可能となるコネクタ構造であることを特徴とする。
【００１０】
本発明の第４のケーブル収納型電力供給装置は、第２または第３のケーブル収納型電力供給装置に対して、前記モールドケースは、前記鍔部と略直方体形状の本体からなり、前記側周面は、前記略直方体形状の本体の最短辺部を有す側面部から構成される外周面であることを特徴とする。
【発明の効果】
【００１１】
本発明によれば、ＡＣ／ＤＣ変換部から引き出される二つのケーブルの二つの根元部分を、ＡＣ／ＤＣ変換部を絶縁保護するモールドケースのケーブル巻きつけ部である側周面に異なる二つのケーブルが重なって巻き取られ難い位置に、かつ、各々のケーブルが互いに根元部分から対向する方向に引き出されるように、前記モールドケースの略中心部に対して点対象な位置に配置するようにしたことで、二つのケーブルの収納性を高め、ケーブルの根元部分の破損を抑制可能なケーブル収納型電力供給装置を提供できる。
【図面の簡単な説明】
【００１２】
【図１】本発明の実施の形態のケーブル収納型電力供給装置の上面、底面、および側面図である。
【図２】本発明の実施の形態のケーブル収納型電力供給装置のケーブル巻取り機構を説明する図である。
【発明を実施するための最良の形態】
【００１３】
以下、図面を参照して本発明を実施するための最良の形態について説明する。図１は、本発明が利用される一例のケーブル収納型電力供給装置１を示す図である。図１は、左から左側面図、上面図、右側面図、底面図を表している。
【００１４】
ケーブル収納型電力供給装置１は、内部にＡＣ／ＤＣ変換部を有し、それを絶縁保護する略直方体形状部分を備えるプラスチックモールドケース２、プラスチックモールドケース２の上面部と底面部が延伸したように形成された鍔部３、ＡＣプラグを有すＡＣケーブル４、ＤＣプラグを有すＤＣケーブル５、前記ケーブル４と５が巻きつけられる側周面６とから構成されている。プラスチックモールドケース２は、例えば上面側と底面側の二つのピースに分かれていても良い。
【００１５】
鍔部３の突出寸法、すなわち、側周面６との高さの差は、ＤＣケーブル５とＡＣケーブル４を側周面６に巻きつけたときの巻き付け量に応じて、適宜、決めれば良い。つまり、ケーブルを何周も巻きつけるのであれば、突出寸法を大きくし、巻きつけたケーブルが鍔部３を乗り越えないようするのが好適である。
【００１６】
鍔部３は、巻きつけたケーブルが上面側や底面側から見て露出した状態になること、側周面６へのケーブル巻きつけ時の多少の利用者の気遣い等を許容できるなら、必ずしも設けることはなく、本願発明の構成要件から外しても良い。
【００１７】
図２は、ケーブル収納型電力供給装置１のケーブル巻取り機構とケーブルの根元部分の関係性を説明するための図で、図1から鍔部３を除去した状態を示している。この鍔部３はプラスチックモールドケース２と一体に成型されていても良いし、鍔部３がプラスチックモールドケース２の側周面６を有する主体部分と図２のように分離できる構造をとっても良い。
【００１８】
図２の７はＤＣケーブル５の根元部分を表し、８はＡＣケーブル４の根元部分を表している。二つの根元部分７と８は、プラスチックモールドケース２からケーブルが引き出される部分である。ＤＣケーブル５とＡＣケーブル４は根元部分を通じてプラスチックケース２の内部でＡＣ／ＤＣ変換部にそれぞれ電気的に接続されている。あるいは、根元部分７と根元部分８は、それぞれ脱着可能なコネクタ構造であって、このコネクタ構造によって電気的接続がされたり、切られたりする構造であっても良い。コネクタ構造を採用すると、ケーブル断線の場合、ケーブル交換が簡単などのメリットがある。
【００１９】
図２の７１、７２、７３は、根元部分７を配置するために、プラスチックモールドケース２の一部を切り欠いたように形成した切り欠き部を構成する三つの面を示している。同様に、８１、８２、８３は、根元部分８を配置するために、プラスチックモールドケース２の一部を切り欠いたように形成して設けた切り欠き部を構成する三つの面を示している。
【００２０】
側周面６から面７１までの切り欠き量は、ＤＣケーブル５の根元部分７のケーブル引き出し方向の高さに応じて決まる。また、側周面６から面７３までの切り欠き量は、ＤＣケーブル５の根元部分７の厚さに応じて決まる。同様に、鍔部３を除去したプラスチックモールドケース２の上面から面７２までの切り欠き量は、ＤＣケーブル５の根元部分７のもう一方の厚さに応じて決まる。
【００２１】
根元部分７のケーブル引き出し方向の高さが大きければ、その分、切り欠き量は大きくとる必要がある。こうすれば、ＤＣケーブル５を側周面６に巻き取る際に、ケーブルの破損が起こりやすい根元部分７あるいは根元部に近い部分への曲げ応力を減少させられるからである。
【００２２】
側周面６からの面７３までの切り欠き量および前記上面から面７２までの切り欠き量は、根元部分７が、巻き取り面である側周面６より突出しないように、あるいは、鍔部３と干渉しないようにするように切り欠けば良い。
【００２３】
以上のように根元部７を構成することにより、根元部７から引き出されたＤＣケーブル５は、図２の上面図の右方向に巻き込まれるので、根元付近の剛性が高くて曲げ難い部分、すなわち、曲げると破損が起こりやすい部分の曲げを極力回避するように側周面６に巻き取ることが可能になる。曲げると破損が起こりやすい部分の曲げを極力回避するように側周面６に巻き取るので、ケーブルを引き出す時の破損の抑制も可能となる。ケーブルの破損の起こりやすい部分の曲率を大きくするように巻き取ったり、そのケーブルをまっすぐに伸ばしたりを繰り返せば、当然に、破損が起こりやすい部分の破損可能性は高まるからである。
【００２４】
また、根元部７の剛性が高くて曲げ難い部分が、引き出し方向に対して側周面６から突出しないように配置されるので、利用者によってケーブル収納型電力供給装置１が壁と机に鋏まれるように設置されたような場合であっても、根元部７に引き出し方向とは逆に押し込む方向の力が加わり難いので、このような場合の根元部７の破損抑制が可能という効果もある。
【００２５】
根元部７の構成について述べたが、ＡＣケーブル４の根元部分８と根元部分８を配置するため切り欠き部を構成する三つの面、８１、８２、８３でも同様である。一般には、ＡＣケーブル４の根元部分８の方が大きいので切り欠き部分はＤＣケーブル５の根元部分７より大きく取る必要がある。
【００２６】
次に、ＤＣケーブル５の根元部分７とＡＣケーブル４の根元部分８の配置について詳説する。ＤＣケーブル５の根元部分７とＡＣケーブル４の根元部分８は、ＤＣケーブル５とＡＣケーブル４の側周面６への巻取りを解き、引き出した時に、ＤＣケーブル５とＡＣケーブル４の引き出し方向が、プラスチックモールドケース２を挟んで互いに対向するように配置されている。
【００２７】
これは、ケーブルを引き出してケーブル収納型電力供給装置１を利用する際に、ケーブルが直線状になり、ケーブルの破損が起こりやすい根元部分７と根元部分８が曲がった状態で利用される可能性を極力小さくできるからである。
【００２８】
また、根元部分７と根元部分８は図２で示されるように、略直方体形状の対角に、かつ、上面側と底面側に配置されている。図２の上面図において、左下隅に根元部７が、右上隅に根元部８が配置されている。そして、根元部７は上面側に近い側に、根元部８は底面側に近い側に配置されている。
【００２９】
根元部７と根元部８を極力離すように配置することで、プラスチックモールドケース２の内部のＡＣ／ＤＣ変換部の配置スペースを効率よく確保することが可能となり、ＡＣ-ＤＣ変換部の配置自由度も増すことになる。つまり、ケーブル収納型電力供給装置１の全体の容積効率が良くなるので、よりコンパクトなケーブル収納型電力供給装置１を実現できる。
【００３０】
同時に、根元部７と根元部８をそれぞれ上面側と底面側に配置したことで、ＤＣケーブル５とＡＣケーブル４を側周面６に巻き取る際に、二つのケーブルが極力重ならないように巻き取ることができる。図２の右側面図に示すとおり、ＡＣケーブル４は底面側に根元部８が配置されているので、右側に巻きつけられ、ＤＣケーブル５は、上面側に根元部７が配置されるので、左側に巻きつけられ、それぞれのケーブルの重なりを回避できている。
【００３１】
また、上面部と底面部を含めて切り欠いたような位置に根元部７と根元部８を配置したことにより、根元部７と根元部８を脱着可能なコネクタ構造とした場合、利用者がコネクタを抜差しする際に、指でケーブル根元部をつまむためのスペースを有効に確保できるというメリットがある。切り欠き部が３面で構成されていて、上面側および底面側が開放部になるので、抜差しが容易になるためである。
【００３２】
なお、図１は鍔部３が付属した状態を示しているので、当然ながら根元部７と根元部８を脱着可能なコネクタ構造とした場合、鍔部３は、ケーブル根元部７とケーブル根元部８の切り欠き部に対応した部分を切り欠くように形成されている。
【００３３】
また、ここでは、図１および図２で示すように、ケーブル収納型電力供給装置１の主体部分は、略直方体形状部分を備えるプラスチックモールドケース２として説明をしたが、形状は略直方体形状に限定はされない。例えば、円筒状の円筒側周面にケーブル巻取り機構を設け、円筒上面と底面に鍔部を設けても良い。二つの根元部分を円筒部の中心部から互いに点対象になるように、側周面と上面、側周面と底面を各々切り欠くようにして三面で構成される切り欠き部を設けるように配置すれば良い。
【００３４】
以上のように、ＡＣ／ＤＣ変換部を絶縁保護するモールドケースよりなる電源供給装置において、ＡＣケーブルとＤＣケーブルが、ケーブル巻きつけ部であるモールドケースの側周面の一部と上面の一部を切り欠いた部分、および、前記側周面の一部と底面の一部を切り欠いた部分から、互いに対向する方向に引き出されるように配置され、二つの引き出し部は、前記モールドケースの略中心部に対して点対象に配置するような構成としたことで、二つのケーブルの収納性向上と収納状態からケーブルを引き出して用いる時のケーブル破損の抑制が可能なコンパクトな電源ケーブル収納機構付のＡＣアダプタを提供することが可能となる。
【符号の説明】
【００３５】
１  ケーブル収納型電力供給装置
２  プラスチックモールドケース
３  鍔部
４  ＡＣケーブル
５  ＤＣケーブル
６  側周面
７  ＤＣケーブルの根元部分
８  ＡＣケーブルの根元部分
【図１】
2011199914.tif 000003
【図２】
2011199914.tif 000004